(57)【特許請求の範囲】
【請求項１】
指示に基づいて放送を実施する無線送受信装置と、
前記無線送受信装置が放送を実施することを要求する信号である放送要求を発信するこ
とができる一つ以上の放送設備と、
放送の優先順位を示す指標である優先度のうち、前記無線送受信装置が実施中の放送の
優先度である第一の優先度を記憶する記録部と、
前記無線送受信装置が放送を実施している場合に、前記放送要求に含まれる優先度また
は前記第一の優先度を放送開始からの経過時間が大きくなるほど前記第一の優先度を低く
するまたは放送開始からの経過時間が大きくなるほど前記放送要求に含まれる優先度を高
くするように変更し、前記放送要求に含まれる優先度と前記第一の優先度とを比較し、前
記第一の優先度が前記放送要求に含まれる優先度と比較して低いときに割り込みで放送を
実施すると判断する演算部と、
前記演算部が割り込みで放送を実施すると判断した場合に割り込みで放送を実施するこ
とを指示する制御部
とを備える同報無線システム。
【請求項２】
前記演算部は、前記放送が実施されてから一定時間経過していれば前記放送要求に含ま
れる前記優先度または前記第一の優先度を変更する
請求項１に記載した同報無線システム。
【請求項３】
前記放送設備が、
周辺環境に関する情報を取得するセンサ部を備え、
前記周辺環境に関する情報に基づき、前記放送設備が緊急事態にあるかどうかを判断し
、
前記放送設備が緊急事態にあると判断した場合、前記制御部が割り込みで放送を実施す
ることを指示する、
請求項１または２に記載した同報無線システム。
【請求項４】
一つの前記放送設備が、前記記録部と前記演算部と前記制御部とを備える
請求項１から３のいずれか１項に記載した同報無線システム。
【請求項５】
前記無線送受信装置が、前記記録部と前記演算部と前記制御部とを備える
請求項１から３のいずれか１項に記載した同報無線システム。
【請求項６】
前記無線送受信装置を複数備え、
複数の前記無線送受信装置それぞれが前記記録部と前記演算部と前記制御部とを備える
請求項１から３のいずれか１項に記載した同報無線システム。
【請求項７】
複数の前記放送設備それぞれが前記演算部を備える
請求項１から６のいずれか１項に記載した同報無線システム。
【請求項８】
指示に基づいて放送を実施するステップと、
放送を実施することを要求する信号である放送要求を発信するステップと、
放送の優先順位を示す指標である優先度のうち、実施中の放送の優先度である第一の優
先度を記憶するステップと、
前記無線送受信装置が放送を実施している場合に、前記放送要求に含まれる優先度また
は前記第一の優先度を放送開始からの経過時間が大きくなるほど前記第一の優先度を低く
するまたは放送開始からの経過時間が大きくなるほど前記放送要求に含まれる優先度を高
くするように変更するステップと、
前記放送要求に含まれる優先度と前記第一の優先度とを比較するステップと、
前記第一の優先度が前記放送要求に含まれる優先度と比較して低いときに割り込みで放
送を実施すると判断するステップと、
割り込みで放送を実施すると判断した場合に割り込みで放送を実施することを指示する
ステップ
とを備える同報無線方法。
【発明の詳細な説明】
【技術分野】
【０００１】
本発明は、同報無線システムに関し、特に、同報無線システムにおける放送制御方式に関する。
【背景技術】
【０００２】
今日の一般的な同報無線システムにおいては、操作卓、遠隔制御局設備、外部起動装置、自動起動装置等の放送設備から放送コンテンツを発信する際、その放送の「放送の優先度」を設定することができる。
【０００３】
この「放送の優先度」は数段階設定することができる。例えば、放送の緊急度が低い放送の場合、その「放送の優先度」を一般として放送（一般放送）を行い、放送の緊急度が高い場合、その「放送の優先度」を緊急として放送（緊急放送）を行うという運用が想定される。
【０００４】
この「放送の優先度」を利用して、一般的な同報無線システムにおいては、例えば遠隔制御局設備から発信した一般放送を放送しているときに、例えば操作卓から発信した「放送の優先度」がより高い緊急放送を割り込みで放送することができる。
【０００５】
市町村デジタル同報通信システム標準規格ＡＲＩＢ  ＳＴＤ−Ｔ８６  ３．０版（社団法人電波産業会）には上述したような一般的な同報無線システムが記載されている。
【先行技術文献】
【非特許文献】
【０００６】
【非特許文献１】市町村デジタル同報通信システム標準規格ＡＲＩＢ  ＳＴＤ−Ｔ８６  ３．０版（社団法人電波産業会）平成１９年５月２９日改定
【発明の概要】
【発明が解決しようとする課題】
【０００７】
しかしながら、上述した一般的な同報無線システムにおいては、「放送の優先度」が同じ場合、割り込みで放送することができなかった。つまり、一般放送を放送中に、他の一般放送を割り込みで放送することはできなかった。また、緊急放送を放送中に、他の緊急放送を割り込みで放送することはできなかった。
【０００８】
本発明の目的は、「放送の優先度」が同じ場合でも割り込みで放送を行うことができる同報無線システムを提供することにある。
【課題を解決するための手段】
【０００９】
本発明の同報無線システムは、指示に基づいて放送を実施する無線送受信装置と、無線送受信装置が放送を実施することを要求する信号である放送要求を発信することができる一つ以上の放送設備と、放送の優先順位を示す指標である優先度のうち、無線送受信装置が実施中の放送の優先度である第一の優先度を記憶する記録部と、第一の優先度が、無線送受信装置が放送を実施中に受信した放送要求に含まれる優先度と比較して高く、かつ、所定の条件が満たされるときに、割り込みで前記放送要求で要求された放送を実施することを指示する制御部とを備える。
【００１０】
本発明の同報無線方法は、指示に基づいて放送を実施するステップと、放送を実施することを要求する信号である放送要求を発信するステップと、放送の優先順位を示す指標である優先度のうち、実施中の放送の優先度である第一の優先度を記憶するステップと、第一の優先度が、放送を実施中に受信した放送要求に含まれる優先度と比較して高く、かつ、所定の条件が満たされるときに、割り込みで前記放送要求で要求された放送を実施することを指示するステップとを備える。
【発明の効果】
【００１１】
本発明の同報無線システムおよび同報無線方法によれば、「放送の優先度」が同じ場合でも割り込みで放送を行うことができる。
【図面の簡単な説明】
【００１２】
【図１】本発明の第１の実施形態にかかる同報無線システムの、放送設備群および親局設備の構成を示すブロック図である。
【図２】本発明の第１の実施形態にかかる演算部の動作を説明するフローチャートである。
【図３】本発明の第３の実施形態にかかる同報無線システムの、放送設備群および親局設備の構成を示すブロック図である。
【図４】本発明の第４の実施形態にかかる同報無線システムの、放送設備群および親局設備の構成を示すブロック図である。
【図５】本発明の第５の実施形態にかかる同報無線システムの、放送設備群および親局設備の構成を示すブロック図である。
【図６】本発明の第６の実施形態にかかる同報無線システムの、放送設備群および親局設備の構成を示すブロック図である。
【図７】本発明の第７の実施形態にかかる同報無線システムの、放送設備群および親局設備の構成を示すブロック図である。
【図８】本発明の第８の実施形態にかかる同報無線システムの、放送設備群および親局設備の構成を示すブロック図である。
【図９】本発明の第９の実施形態にかかる同報無線システムの、放送設備群および親局設備の構成を示すブロック図である。
【図１０】本発明の第１の実施形態にかかる同報無線システムの概要図である。
【図１１】本発明の第１の実施形態にかかる同報無線システムの、演算部の構成を示すブロック図である。
【発明を実施するための形態】
【００１３】
以下に、図面を参照しながら、本発明の実施形態について詳細に説明する。なお、以下の説明では、同じ機能を有するものには同じ符号をつけ、その説明を省略する場合がある。
【００１４】
（第１の実施形態）
（構成）
図１０は本発明の第１の実施形態にかかる同報無線システムの概要図である。
【００１５】
本発明の同報無線システムは、放送設備群１１および親局設備１２および子局設備群１３を有する。放送設備は親局設備に対して放送の実施を要求する（放送要求を行う）装置である。放送設備は複数存在する場合がある。以下、複数の放送設備をまとめて放送設備群と呼ぶ場合がある。親局設備は子局設備に対し無線呼出信号を発信する装置である。子局設備は親局設備から発信される無線呼出信号を受信し、無線呼出信号に基づいて放送を行う装置である。子局設備は複数存在する場合がある。以下、複数の子局設備をまとめて子局設備群と呼ぶ場合がある。
【００１６】
放送設備群１１は必要に応じて、親局設備１２に対して放送要求を行う。親局設備１２は子局設備群１３の中から、放送対象（以下、放送対象局とも呼ぶ。）を一つ又は複数選択して、選択した放送対象へ無線呼出信号を送信する。放送対象として選択された子局設備は、親局設備１２から受信した無線呼出信号に基づいて、住民１４に対して拡声放送等の放送を実施する。以下、親局設備が放送対象局へ無線呼出信号を送信することを親局設備が放送を実施するとも言う。
【００１７】
図１は本発明の第１の実施形態にかかる同報無線システムの、放送設備群および親局設備の構成を示すブロック図である。
【００１８】
本発明の親局設備は図１に示す通り、無線送受信装置３、操作卓４から構成される。また、本発明の放送設備群は図１に示す通り、遠隔制御局設備１、外部起動装置２、操作卓４を有する。遠隔制御局設備１、外部起動装置２、操作卓４それぞれは単体で放送設備とも呼ばれる。これらのうち、遠隔制御局設備１、外部起動装置２は必須の構成ではなく、同報無線システムの規模や使用目的によって、接続したり接続しなかったりすることをそれぞれについて選択してよい。
【００１９】
操作卓４は記録部５、制御部６、演算部７、インタフェース（Ｉ／Ｆ）部８を機能部として持つ。Ｉ／Ｆ部８は放送設備と親局設備の通信を行う接続部分としてのインタフェース機能を持つと共に、ユーザインタフェースとしての機能をも持つ。操作卓４は放送設備群及び親局設備の両方に属する。
【００２０】
（作用）
ここからは特に断りがない限り、「放送の優先度の値」が小さい方が、「放送の優先度」が高い場合を仮定して、実施形態の動作を説明する。ここで、「放送の優先度の値」および「放送の優先度」は放送の優先順位を示す指標である。「放送の優先度の値」および「放送の優先度」は放送毎に設定される。「放送の優先度の値」は数値で表され、最小値は０である。「放送の優先度」としては、例えば「一般」や「緊急」等がある。「一般」よりも「緊急」の方が優先される。
【００２１】
ここでは、外部起動装置２がある放送（放送Ａとする。）の放送要求を発信し、無線送受信装置３が放送Ａを放送してから５分以内に、遠隔制御局設備１が別のある放送（放送Ｂとする。）の放送要求を後から発信する場合について説明する。ここでは、放送Ａの「放送の優先度の値」を１、放送Ｂの「放送の優先度の値」を５と仮定する。ここで、放送要求とは無線送受信装置３が放送を実施することを要求する信号である。放送要求は、一つの放送毎に放送設備から発信される。Ｉ／Ｆ部８は放送設備から発信される放送要求を受信する。放送要求は、「放送の優先度の値」を含んでいる。
【００２２】
このとき、Ｉ／Ｆ部８は、遠隔制御局設備１が発信した「放送の優先度の値」が５である放送の放送要求を受信する。
【００２３】
図２は本発明の第１の実施形態にかかる演算部の動作を説明するフローチャートである。
【００２４】
割り込み放送の可否を判断するために、演算部７は動作が開始されると（開始）、まず、無線送受信装置３が放送を実施しているか否か確認する（ステップＳ１）。ここで、割り込み放送の可否を判断するとは、同報無線システムが割り込みで放送を実施するか否か判断するということもできる。
【００２５】
ステップＳ１において、無線送受信装置３が放送を行っていない場合（ステップＳ１ｎｏ）、演算部７は再度ステップＳ１の動作をはじめから行う。
【００２６】
ステップＳ１において、無線送受信装置３が放送を行っている場合（ステップＳ１ｙｅｓ）、次に、演算部７は、放送中の放送（放送Ａ）の「放送の優先度」を変更するか否か判断する（ステップＳ２）。例えば、放送Ａの放送開始から１分以上経過していれば変更すると判断し、放送Ａの放送開始から１分未満であれば否と判断する、というような判断の基準を設定することができる。
【００２７】
ステップＳ２において、変更すると判断した場合（ステップＳ２ｙｅｓ）、演算部７は、記録部５に記憶されている放送Ａの「放送の優先度の値」を取得し、変更した後、書き戻す（ステップＳ３）。より具体的には、例えば、演算部７は放送Ａの「放送の優先度の値」を記録部５から取得し、放送Ａの放送開始からの経過時間に応じてｎ分経過していたら放送Ａの「放送の優先度の値」をｎ加えたものに変更する（ｎは整数）。
【００２８】
次に、演算部７は、Ｉ／Ｆ部８が放送要求を受信したか否かを確認する（ステップＳ４）
ステップＳ４において、Ｉ／Ｆ部８が放送要求を受信していない場合（ステップＳ４ｎｏ）、演算部７は再度ステップＳ１の動作をはじめから行う。
【００２９】
ステップＳ４において、Ｉ／Ｆ部８が放送要求を受信した場合（ステップＳ４ｙｅｓ）、次に、演算部７は、記録部５に記憶されている放送Ａの「放送の優先度」と後から受信した放送要求に含まれている放送（放送Ｂ）の「放送の優先度」とを取得する（ステップＳ５）。
【００３０】
次に、演算部７は放送Ａの「放送の優先度」が、放送Ｂの「放送の優先度」より高いか否か判断する（ステップＳ６）。
【００３１】
ステップＳ６において、もし放送Ａの「放送の優先度」が、放送Ｂの「放送の優先度」と同じか、高ければ（放送Ａの放送の優先度≧放送Ｂの放送の優先度）（ステップＳ６ｙｅｓ）、演算部７は割り込み放送不可と判断し、制御部６にこの結果を伝え（ステップＳ７）、処理を終了する（終了）。
【００３２】
ステップＳ６において、もし放送Ａの「放送の優先度」が、放送Ｂの「放送の優先度」より低ければ（放送Ａの放送の優先度＜放送Ｂの放送の優先度）（ステップＳ６ｎｏ）、次に、演算部７は割り込み放送可と判断し、制御部６にこの結果を伝え（ステップＳ８）、処理を終了する（終了）。
【００３３】
演算部７は処理を終了した後再びステップＳ１から処理を開始する。また、演算部７は処理を終了した後一定時間経過してからステップＳ１の処理を開始することとしてもよい。このようにすることにより時間あたりの平均的な処理の負荷を低減でき、それにより消費電力が低減するという効果が期待できる。
【００３４】
あるいは、演算部７は処理を終了した後制御部６から動作開始の指示が来るまで待機することとしてもよい。この場合、制御部６はＩ／Ｆ部８が放送要求を受信したか確認し続ける。Ｉ／Ｆ部８が放送要求を受信したことが確認された場合、制御部６は演算部７に動作開始の指示を行う。演算部７は、制御部６から動作開始の指示が来た場合、ステップＳ１から処理を開始する。
【００３５】
制御部６は、割り込み放送可という割り込み放送の可否の判断の結果を演算部７から受け取った場合、割り込み放送の処理として、無線送受信装置３に割り込みで放送を実施する旨を指示する。そして、無線送受信装置３は、制御部６から割り込みで放送を実施する旨の指示を受け取った場合、割り込みで別の放送を実施する。ここで、別の放送とは、放送設備から発信される放送要求に対応する放送であってもよい。あるいは、別の放送とは、これから割り込みで放送を行うことを案内する内容の放送であってもよい。そして、割り込みで放送を行うことを案内する内容の放送の後、放送設備から発信される放送要求に対応する放送を放送することとしてよい。
【００３６】
また、制御部６は、割り込み放送不可という割り込み放送の可否の判断の結果を演算部７から受け取った場合、処理を終了する。
【００３７】
放送開始から1分経過する毎に、実施中の放送の優先度の値を１大きいものに変更するので、放送開始時に放送要求元の放送の優先度の値が１であった場合、放送開始後５分未満のとき、放送中の放送の放送の優先度の値は５以下である。また、放送開始から５分経過したとき、放送の優先度の値は６である。
【００３８】
また、本発明は必ずしも放送開始から1分経過する毎に、放送Ａの放送の優先度の値を１大きいものに変更するものではない。例えば、実放送Ａの放送の優先度の値に経過時間を掛け合わせることとしてもよい。また、放送Ａ放送の優先度の値を変更することに代えて、放送Ｂの放送の優先度を変更しても良い。さらに、放送Ｂの放送の優先度の値を放送開始から1分経過する毎に、１小さくすることとしてもよい。また、放送Ｂの放送の優先度の値を経過時間で割ることとしてもよい。あるいは、放送Ａおよび放送Ｂ双方の放送の優先度を変更した後に比較し、割り込み放送を行うか否かを判断しても良い。
【００３９】
図１１は本発明の第１の実施形態にかかる同報無線システムの、演算部の構成を示すブロック図である。演算部７は無線送受信装置の放送実施判定部７１、放送の優先度変更判定部７２、放送要求受信判定部７３、放送の優先度の大小判定部７４を有する。無線送受信装置の放送実施判定部７１は無線送受信装置３が放送を実施しているか否か確認する。放送の優先度変更判定部７２は、放送中の放送（放送Ａ）の「放送の優先度」を変更するか否か判断する。放送要求受信判定部７３は、Ｉ／Ｆ部８が放送要求を受信したか否かを確認する。放送の優先度の大小判定部７４は、放送Ａの「放送の優先度」が、放送Ｂの「放送の優先度」より高いか否か判断する。
【００４０】
（効果）
本実施形態により、放送開始後十分に時間が経過した放送については、割り込みで別の放送を放送することができる。これにより、別の放送を迅速に放送することが可能となる。
【００４１】
（第２の実施形態）
（構成）
本発明の第２の実施形態として、上述した第１の実施形態の構成に加えて、ある放送設備から発信された放送を放送中に、その放送の「放送の優先度」を任意の値に変更する事ができる実施形態が考えられる。このような構成により、より柔軟な放送制御が可能となる。
【００４２】
より具体的には、例えば、同報無線システムの繰り返し放送中に、繰り返し回数又は放送経過時間に合わせて、放送中の放送の、放送の優先度を低くするという構成が考えられる。同報無線システムにおいては、情報をより確実に周知するために、同様の内容を繰り返して放送する場合がある。また緊急時は、繰り返し回数を有限回数または無制限に設定して放送を行い、放送要求元の放送設備の操作者は避難するという運用が想定される。これらの放送の「放送の優先度」が高い場合、他の放送設備から割り込みで放送を行うことができない。本実施形態では、例えば放送開始５分後に、放送中の放送の「放送の優先度」を低くする、または、繰り返し放送の放送回数が１回増える度に、放送中の放送の、「放送の優先度」を低くする。このような構成により、繰り返し放送を放送中の場合においても、さらに重要な放送を割り込みで放送することが可能となる。
【００４３】
（作用）
すなわち、特に重要な内容を放送しているときは、放送中の放送の優先度を高くして、放送中の放送に対する割り込み放送を防ぐことができる。そして、放送した内容を繰り返す場合や、重要度の低い内容を放送しているときは、放送中の放送の優先度を低くして、放送中の放送に対する割り込み放送を行わせることができる。
【００４４】
（効果）
本実施形態により、放送中の放送に対する、割り込み放送を行わせることができる。これにより、重要な情報を迅速に住民に周知することが可能となる。
【００４５】
（第３の実施形態）
（構成）
図３は本発明の第３の実施形態にかかる同報無線システムの、放送設備群および親局設備の構成を示すブロック図である。
【００４６】
図３に示すように、本発明の第３の実施形態においては、第１の実施形態の構成に加えて、操作卓４または遠隔制御局設備１がセンサ部９を有する。
【００４７】
（作用）
無線送受信装置３が放送する放送は、操作卓４または遠隔制御局設備１から発信される場合がある。操作卓４または遠隔制御局設備１が放送を発信中に、センサ部９は、各放送設備の周辺環境に関する情報を取得する。そして、操作卓４または遠隔制御局設備１は、センサ部９が取得した各放送設備の周辺環境に関する情報に応じて、「放送の優先度」を変更する。
【００４８】
より具体的には、操作卓４が有するセンサ部９または遠隔制御局設備１が有するセンサ部９に各種センサを接続し、その各種センサが取り付けられた操作卓または遠隔制御局設備の周辺環境に関する情報を各種センサから取得する。各種センサとは例えば、人感センサ、光センサ、温度センサ、風圧センサ、音センサ、振動センサ等、放射線センサ、化学物質センサ、臭いセンサ、カメラ等である。周辺環境に関する情報とは例えば周辺の人の数や人の動作、匂い物質等の化学物質や放射線の量等である。
【００４９】
そして、操作卓４または遠隔制御局設備１は、各種センサから取得した周辺環境に関する情報に基づき、記録部５に記憶されている、放送中の放送の「放送の優先度の値」を変更することを操作卓４へ指示する。
【００５０】
例えば操作卓４、遠隔制御局設備１それぞれが、周辺の人の数や人の動きを、人感センサや音センサ、振動センサ、カメラ等で収集して、その情報に応じて「放送の優先度」を設定するという動きが想定される。また、活火山や化学工場、原子力発電所等の近くに放送設備がある場合、化学物質センサや臭いセンサ、放射線センサ等で周辺環境情報を収集して、それらの値が高い場合を緊急事態と判断し、放送中の放送の「放送の優先度の値」を高く設定する。これにより、緊急事態にある放送設備からの放送を優先的に放送するという放送制御を実現できる。
【００５１】
（効果）
本実施形態によれば、緊急事態にある放送設備からの放送を優先的に放送するという放送制御を実現できる。
【００５２】
（第４の実施形態）
図４は本発明の第４の実施形態にかかる同報無線システムの、放送設備群および親局設備の構成を示すブロック図である。
【００５３】
図４に示すように、本実施形態では、無線送受信装置３が記録部５、制御部６、演算部７、Ｉ／Ｆ部８を機能部として持つ。各機能部の動作は第１の実施形態と同様である。また、遠隔制御局設備１、外部起動装置２は無線送受信装置３が有するＩ／Ｆ部８に接続する。
【００５４】
本実施形態では無線送受信装置３がシステム全体の制御の大半を担う。また、本実施形態によれば、遠隔制御局設備１、外部起動装置２を操作卓４に接続することなく制御を行うことができる。
【００５５】
（第５の実施形態）
図５は本発明の第５の実施形態にかかる同報無線システムの、放送設備群および親局設備の構成を示すブロック図である。
【００５６】
図５に示すように、本実施形態では、無線送受信装置３が記録部５、制御部６、演算部７を機能部として持つ。また、操作卓４がＩ／Ｆ部８を機能部として持つ。各機能部の動作は第１の実施形態と同様である。また、本実施形態では無線送受信装置３を操作卓４に複数接続する。
【００５７】
本実施形態によれば複数台の無線送受信装置３が、機能部の処理を分担して行うことができる。
【００５８】
（第６の実施形態）
図６は本発明の第６の実施形態にかかる同報無線システムの、放送設備群および親局設備の構成を示すブロック図である。
【００５９】
図６に示すように、本実施形態では、無線送受信装置３が記録部５、制御部６、Ｉ／Ｆ部８を機能部として持つ。また、操作卓４が演算部７を機能部として持つ。また、遠隔制御局設備１、外部起動装置２それぞれの放送設備が演算部７を機能部として持つ。あるいは、遠隔制御局設備１、外部起動装置２それぞれの放送設備のいずれか1つまたは複数が演算部７を機能部として持ち、演算部７を持たない放送設備があっても良い。また、遠隔制御局設備１、外部起動装置２は、無線送受信装置３が有するＩ／Ｆ部８に接続する。各機能部の動作は第１の実施形態と同様である。
【００６０】
本実施形態では無線送受信装置３と放送設備群とを含めて親局設備とみなすことができる。本実施形態では制御部６と演算部７とをそれぞれ別の装置が持つので、機能部の処理の負荷が各装置へ分散される効果が期待できる。また、本実施形態によれば遠隔制御局設備１、外部起動装置２を操作卓４に接続することなく制御を行うことができる。
【００６１】
（第７の実施形態）
図７は本発明の第７の実施形態にかかる同報無線システムの、放送設備群および親局設備の構成を示すブロック図である。
【００６２】
図７に示すように、本実施形態では、無線送受信装置３が記録部５、制御部６を機能部として持つ。また、操作卓４が演算部７、Ｉ／Ｆ部８を機能部として持つ。また、遠隔制御局設備１、外部起動装置２それぞれの放送設備が演算部７を機能部として持つ。あるいは、遠隔制御局設備１、外部起動装置２それぞれの放送設備のいずれか1つ又は複数が演算部７を機能部として持ち、演算部７を持たない放送設備があっても良い。また、遠隔制御局設備１、外部起動装置２は、操作卓４が有するＩ／Ｆ部８に接続する。各機能部の動作は第１の実施形態と同様である。
【００６３】
本実施形態では無線送受信装置３と放送設備群とを含めて親局設備とみなすことができる。本実施形態では制御部６と演算部７とをそれぞれ別の装置が持つので、機能部の処理の負荷が各装置へ分散される効果が期待できる。
【００６４】
（第８の実施形態）
図８は本発明の第８の実施形態にかかる同報無線システムの、放送設備群および親局設備の構成を示すブロック図である。
【００６５】
図８に示すように、本実施形態では、無線送受信装置３がＩ／Ｆ部８を機能部として持つ。また、別途設ける放送制御設備１０が記録部５、制御部６、演算部７を機能部として持つ。また、遠隔制御局設備１、外部起動装置２、放送制御設備１０は、無線送受信装置３が有するＩ／Ｆ部８に接続する。各機能部の動作は第１の実施形態と同様である。
【００６６】
本実施形態では無線送受信装置３と放送設備群と放送制御設備１０を含めて親局設備とみなすことができる。また、本実施形態では制御部６および演算部７を放送制御設備１０が持つので、遠隔制御局設備１、外部起動装置２、無線送受信装置３、操作卓４の各装置の負荷が軽減される効果が期待できる。また、本実施形態では遠隔制御局設備１、外部起動装置２を操作卓４に接続することなく制御を行うことができる。
【００６７】
（第９の実施形態）
図９は本発明の第９の実施形態にかかる同報無線システムの、放送設備群および親局設備の構成を示すブロック図である。
【００６８】
図９に示すように、本実施形態では、操作卓４がＩ／Ｆ部８を機能部として持つ。また、別途設ける放送制御設備１０が記録部５、制御部６、演算部７を機能部として持つ。また、遠隔制御局設備１、外部起動装置２、放送制御設備１０は、操作卓４が有するＩ／Ｆ部８に接続する。各機能部の動作は第１の実施形態と同様である。
【００６９】
本実施形態では無線送受信装置３と放送設備群と放送制御設備１０を含めて親局設備とみなすことができる。また、本実施形態では制御部６および演算部７を放送制御設備１０が持つので、遠隔制御局設備１、外部起動装置２、無線送受信装置３、操作卓４の各装置の負荷が軽減される効果が期待できる。
【００７０】
本発明は上記実施形態に限定されることなく、特許請求の範囲に記載の発明の範囲内で、種々の変形が可能であり、それらも本発明の範囲内に含まれるものであることは言うまでもないことである。
【符号の説明】
【００７１】
１    遠隔制御局設備
２    外部起動装置
３    無線送受信装置
４    操作卓
５    記録部
６    制御部
７    演算部
８    インタフェース（Ｉ／Ｆ）部
９    センサ部
１０    放送制御設備
１１    放送設備群
１２    親局設備
１３    子局設備群
１４    住民
７１    無線送受信装置の放送実施判定部
７２    放送の優先度変更判定部
７３    放送要求受信判定部
７４    放送の優先度の大小判定部
【要約】
【課題】
一般的な同報無線システムにおいては、「放送の優先度」が同じ場合、割り込みで放送することができなかった。
【解決手段】
本発明の同報無線システムは、指示に基づいて放送を実施する無線送受信装置と、無線送受信装置が放送を実施することを要求する信号である放送要求を発信することができる一つ以上の放送設備と、放送の優先順位を示す指標である優先度のうち、無線送受信装置が実施中の放送の優先度である第一の優先度を記憶する記録部と、第一の優先度が、無線送受信装置が放送を実施中に受信した放送要求に含まれる優先度と比較して高く、かつ、所定の条件が満たされるときに、割り込みで前記放送要求で要求された放送を実施することを指示する制御部とを備える。
【選択図】      図１【図１】
0005892228.tif 000002
【図２】
0005892228.tif 000003
【図３】
0005892228.tif 000004
【図４】
0005892228.tif 000005
【図５】
0005892228.tif 000006
【図６】
0005892228.tif 000007
【図７】
0005892228.tif 000008
【図８】
0005892228.tif 000009
【図９】
0005892228.tif 000010
【図１０】
0005892228.tif 000011
【図１１】
0005892228.tif 000012